(57)【要約】【課題】利用者が意識することなしに自動的に被洗濯物個々の情報を読み込み、その情報に基づいて洗濯制御を行う洗濯制御装置を提供すること。【解決手段】被洗濯物に添付された無線情報タグから被洗濯物情報を受信する情報受信部１１３と、この被洗濯物情報に基づいて運転内容を求める算出部１１４と、この運転内容を実行する制御部１１５とを有していることにより、被洗濯物個々の被洗濯情報を自動的に、かつ同時に読み込むことができるので、利用者が洗濯槽に被洗濯物をまとめて入れるだけで布質等に適した運転内容で洗濯することが可能になる。【選択図】  図１
2004174043.tif 000002
【特許請求の範囲】
【請求項１】
被洗濯物に添付された無線情報タグから被洗濯物情報を受信する情報受信部と、
前記被洗濯物情報に基づいて運転内容を求める算出部と、
前記運転内容を実行する制御部と
を有する洗濯制御装置。
【請求項２】
前記無線情報タグに電力を伝送する電力伝送部を更に有する請求項１に記載の洗濯制御装置。
【請求項３】
前記無線情報タグに情報の送信を要求する要求送信部を更に有する請求項１及び請求項２のいずれか一方に記載の洗濯制御装置。
【請求項４】
前記無線情報タグから受信した前記被洗濯物情報及び前記算出部からの算出結果の少なくともいずれか一方を利用者に出力する出力部を更に有する請求項１乃至請求項３のいずれかに記載の洗濯制御装置。
【請求項５】
前記被洗濯物情報は、被洗濯物の衣料種別、素材、重量、製造元、品番、推奨洗濯温度、推奨洗濯回転速度、推奨洗剤種類、推奨洗剤量、推奨すすぎ回数、推奨すすぎ時間、推奨脱水速度、推奨乾燥温度、洗濯累積回数、及び洗濯累積時間の少なくともいずれか一つを含むことを特徴とする請求項１乃至請求項３のいずれかに記載の洗濯制御装置。
【請求項６】
前記無線情報タグに、更新された洗濯累積回数及び洗濯累積時間の少なくともいずれか一方を送信する情報送信部を更に有する請求項５に記載の洗濯制御装置。
【請求項７】
前記洗濯累積回数及び洗濯累積時間の少なくともいずれか一方の情報に応じて、洗濯時間、洗濯回転速度、すすぎ回数、すすぎ時間、及び脱水速度の少なくともいずれかの運転内容を前記被洗濯物情報から求めた内容から変更する請求項５に記載の洗濯制御装置。
【請求項８】
前記受信手段はＲＦＩＤまたは非接触型ＩＣで構成された前記無線情報タグから被洗濯物情報を受信する請求項１乃至請求項３に記載の洗濯制御装置。
【請求項９】
電気通信回線へ接続する通信部を更に有し、
前記算出部が前記通信部から得られた前記被洗濯物情報に基づいて前記運転内容を求める請求項１乃至請求項３に記載の洗濯制御装置。
【発明の詳細な説明】
【０００１】
【発明の属する技術分野】
本発明は、被洗濯物の情報を用いて洗濯方法を制御する洗濯制御装置に関する。
【０００２】
【従来の技術】
従来より、この洗濯制御装置としては、例えば特許文献１に記載されているようなものがあった。図９は、特許文献１に記載された従来の洗濯制御装置を示すものである。
【０００３】
図９において、入力感知部９０２は衣類に付着しているバーコードから洗濯情報を感知し、システム制御部９０１に通知する。システム制御部９０１は、洗濯情報から混用洗濯が可能か否かを検索し、混用洗濯が不可能のときその状態をディスプレイ部９０４に表示する。また、混用洗濯が可能のとき、洗濯情報から得た繊維の重さの総重量を基に、キーパッド９０３からの洗濯開始指示により負荷駆動部９０５などを制御したり、あるいは水位を決定して水位感知部９０６からの情報でこれを制御したりする。
【０００４】
【特許文献１】
特開平６−３０４３７９号公報（第３−４頁、第１図）
【０００５】
【発明が解決しようとする課題】
しかしながら、従来の構成では、洗濯情報をバーコードから読み取るため、利用者が入力感知部２に衣類を近接させて順次、個別に読み込ませる必要があり、利用者にとって極めて煩わしいものであった。
【０００６】
本発明は、このような従来の課題を解決するものであり、その目的とするところは、利用者が意識することなしに自動的に被洗濯物個々の情報を読み込み、その情報に基づいて洗濯制御を行う洗濯制御装置を提供することにある。
【０００７】
【課題を解決するための手段】
上記従来の課題を解決する本発明に係る洗濯制御装置は、被洗濯物に添付された無線情報タグから被洗濯物情報を受信する情報受信部と、この被洗濯物情報に基づいて運転内容を求める算出部と、この運転内容を実行する制御部とを有している。
【０００８】
これにより、被洗濯物個々の被洗濯情報を自動的に、かつ同時に読み込むことができるので、利用者が洗濯槽に被洗濯物をまとめて入れるだけで布質等に適した運転内容で洗濯することが可能になる。
【０００９】
【発明の実施の形態】
本発明に係る洗濯制御装置は、被洗濯物に添付された無線情報タグから被洗濯物情報を受信する情報受信部と、この被洗濯物情報に基づいて運転内容を求める算出部と、この運転内容を実行する制御部とを有している。
【００１０】
これにより、被洗濯物個々の被洗濯情報を自動的に、かつ同時に読み込むことができるので、利用者が洗濯槽に被洗濯物をまとめて入れるだけで布質等に適した運転内容で洗濯することが可能になる。
【００１１】
また、本発明に係る洗濯制御装置は、無線情報タグに電力を伝送する電力伝送部を更に有している。
【００１２】
これにより、電力供給を保有しない無線情報タグに情報の必要なときにのみ電力を供給することができるので、エネルギーの省力化と無線情報タグの小型化が可能になる。
【００１３】
また、本発明に係る洗濯制御装置は、無線情報タグに情報の送信を要求する要求送信部を更に有している。
【００１４】
これにより、情報の必要なときにのみ無線情報タグに要求するので、エネルギーの省力化が可能になる。
【００１５】
また、本発明に係る洗濯制御装置は、無線情報タグから受信した洗濯物情報及び算出部からの算出結果の少なくともいずれか一方を利用者に出力する出力部を更に有している。
【００１６】
これにより、複数の被洗濯物を同時に洗濯することが不適切な場合に、利用者に警告を行ったり、被洗濯物の老朽化状態を通知することが可能になる。
【００１７】
また、本発明に係る洗濯制御装置は、被洗濯物情報が洗濯物の衣料種別、素材、重量、製造元、品番、推奨洗濯温度、推奨洗濯回転速度、推奨洗剤種類、推奨洗剤量、推奨すすぎ回数、推奨すすぎ時間、推奨脱水速度、推奨乾燥温度、洗濯累積回数、及び洗濯累積時間の少なくともいずれか一つを含むことを特徴としている。
【００１８】
これにより、無線情報タグから得られた各種の被洗濯物情報を基に洗濯に適する運転内容を決定することが可能になる。
【００１９】
また、本発明に係る洗濯制御装置は、無線情報タグに更新された洗濯累積回数及び洗濯累積時間の少なくともいずれか一方を送信する情報送信部を更に有している。
【００２０】
これにより、被洗濯物毎に最新の洗濯使用状況を無線情報タグに通知するので、次回の洗濯時にその洗濯使用状況を読み取ることが可能になる。
また、本発明に係る洗濯制御装置は、洗濯累積回数及び洗濯累積時間の少なくともいずれか一方の情報に応じて、洗濯時間、洗濯回転速度、すすぎ回数、すすぎ時間、及び脱水速度の少なくともいずれかの運転内容を被洗濯物情報から求めた内容から変更する。
【００２１】
これにより、被洗濯物の洗濯使用状況を読み取ることで、被洗濯物個々の使用状況に適合した洗濯を行うことが可能になる。
【００２２】
また、本発明に係る洗濯制御装置は、前記受信手段はＲＦＩＤまたは非接触型ＩＣで構成された前記無線情報タグから洗濯物情報を受信する。
これにより、無線情報タグは非常に小型に構成できるので、衣料品に付けても違和感無く身につけることが可能になる。
【００２３】
また、本発明に係る洗濯制御装置は、電気通信回線へ接続する通信部を更に有し、算出部がこの通信部から得られた被洗濯物情報に基づいて運転内容を求める。
【００２４】
これにより、衣料品メーカーや洗剤メーカーや洗濯機メーカーから被洗濯物に適する洗濯内容等の情報を常に入手できるので、新洗剤などの最新の技術を活用した洗濯を行うことが可能になる。
【００２５】
以下、本発明の実施の形態について図面を参照して説明する。
【００２６】
（実施の形態１）
図１は、本発明の実施の形態１における洗濯機と被洗濯物に附属の被洗濯物情報タグとからなるブロック構成図を示している。
【００２７】
図１において、被洗濯物情報タグ１０１は無線情報タグに相当し、ＲＦＩＤ（Ｒａｄｉｏ  Ｆｒｅｑｕｅｎｃｙ  Ｉｄｅｎｔｉｆｉｃａｔｉｏｎ  無線周波数による非接触自動認識装置）や非接触型ＩＣから構成されており、アンテナからデータを無線で送受信できる。本実施の形態において、被洗濯物情報タグは外部から電磁結合方式により電磁誘導で電力供給を受けることにより、電池レス化を図っている。この被洗濯物情報タグ１０１には図２に示す情報が記録されている。
【００２８】
ここで図２は被洗濯物情報を示す図であり、ＩＤ２０１、衣料種別２０２、メーカー名２０３、品番２０４、素材２０５、被洗濯物の重量２０６、被洗濯物の洗濯に適する推奨最高水温２０７、推奨最低水温２０８、推奨する洗剤の種類２０９、この被洗濯物１つを洗濯するのに必要とする洗剤の量を示す推奨洗剤量２１０、この被洗濯物を洗濯するときのパルセータの推奨する回転速度を示す推奨洗濯回転速度２１１、推奨すすぎ回数２１２、推奨すすぎ時間２１３、脱水するときの推奨する脱水槽の回転速度を示す推奨脱水速度２１４、及びこの被洗濯物を乾燥させるときの推奨乾燥温度２１５がある。
【００２９】
なお、ＩＤ２０１はタグ個々にユニークな番号であり、同じ番号のものが存在することはない。また、メーカー名は被洗濯物である衣料品の製造元を示す。
洗濯機１０２は洗濯制御装置１０３と操作部１０４とモーター１０５と給水弁１０６と排水弁１０７と水位センサ１０８とヒーター１０９とからなり、洗濯制御装置１０３は更に電力伝送部１１１と要求送信部１１２と情報受信部１１３と算出部１１４と制御部１１５と表示パネル部１１６とから構成されている。
【００３０】
電力伝送部１１１は交流磁界をコイルで発生させ、被洗濯物情報タグ１０１へ電磁誘導により電力を伝送する。
【００３１】
要求送信部１１２は被洗濯物情報タグ１０１へ情報の送信要求を出力する。
情報受信部１１３は被洗濯物情報タグ１０１から上記の被洗濯物情報を受信する。
【００３２】
算出部１１４は情報受信部１１３が受信した被洗濯物情報と最も適合する運転内容を算出する。
【００３３】
制御部１１５は算出部１１４の算出結果を受けて、モーター１０５、給水弁１０６，排水弁１０７、水位センサ１０８、及びヒーター１０９を用いて運転を制御する。
【００３４】
表示パネル部１１６は情報受信部１１３からの情報や算出部１１４による算出結果を表示する。この表示パネル部１１６が出力部に相当する。
【００３５】
以上のように構成された洗濯制御装置１０３について、以下にその動作、作用を図３のフローチャートを用いて説明する。
【００３６】
まず、利用者が被洗濯物を洗濯槽に投入したのちに、操作部１０４より洗濯開始の指示を行うと、その指示が制御部１１５に通知される。制御部１１５はこの指示があるか否かを監視し、通知があるまで待機する（ステップＳ３０１）。
【００３７】
この指示があった場合、制御部１１５は電力伝送部１１１に電力の伝送開始を指示する（ステップＳ３０２）。
【００３８】
次に、制御部１１５は要求送信部１１２へ被洗濯物情報の送信要求を指示する。これを受けて要求送信部１１２は被洗濯物に要求を送信する（ステップＳ３０３）。
【００３９】
次に、情報受信部１１３が被洗濯物情報タグ１０１から情報の受信を行い、全ての被洗濯物情報タグ１０１からの情報の受信が完了したか否かをチェックする（ステップＳ３０４）。この際に、あらかじめ一定の時間を設定しておき、その時間が経過した時点で全ての受信が完了したと判定することも可能である。
【００４０】
ここで被洗濯物情報タグ１０１と洗濯制御装置１０３との通信について、図４を用いて以下に説明する。なお、本実施の形態では被洗濯物が２つあり、２つの被洗濯物情報タグＡと被洗濯物情報タグＢと洗濯制御装置との通信を例に説明する。
【００４１】
まず、２つの被洗濯物情報タグは電力の供給を受けると起動し、洗濯制御装置１０３からの送信開始要求を待つ（ステップＳ４０１）。この送信開始要求はタグのＩＤを指定すること無しに、どのタグからも送信が可能であることを示している。
【００４２】
次に、両方の被洗濯物情報タグ１０１はこの要求を受信すると、自己のＩＤと共に送信開始を通知するデータを洗濯制御装置１０３へ送信する（ステップＳ４０２、ステップＳ４０３）。
【００４３】
洗濯制御装置１０３は両被洗濯物情報タグ１０１から全く同時に受信すると両方のデータを取り込むことが出来ないため、両方の被洗濯物情報タグ１０１に応答を返さない。
【００４４】
このため両方の被洗濯物情報タグ１０１はそれぞれがあらかじめ設定されている再送開始時間、例えば被洗濯物情報タグＡの再送開始時間Ｔ１、被洗濯物情報タグＢの再送開始時間Ｔ２の経過後、再度送信開始を出力する（ステップＳ４０４、Ｓ４０６）。なお、この再送開始時間Ｔ１と再送開始時間Ｔ２はＩＤ毎に異なるように設定されているため、洗濯制御装置１０３は先に受信した方の被洗濯物情報タグＡに対し応答を返す（ステップＳ４０５）。この応答には送信先のタグＩＤと送信周期が設定されている。このため、この応答を受信した被洗濯物情報タグ１０１はＩＤをチェックし、自己のＩＤと異なる場合この応答を無視する。また、この送信周期は複数の送信先との時分割通信が可能なように算出された時間であり、洗濯制御装置１０３において管理される。
【００４５】
被洗濯物情報タグＡはＩＤが自己のＩＤと一致した場合は、残りの送信すべき被洗濯物情報を所定のサイズごとに分けて送信する（ステップＳ４０６、Ｓ４１０）。その際には、洗濯制御装置１０３から指示された送信周期Ｔ３で送信を行う。
【００４６】
被洗濯物情報タグＡは全ての被洗濯物情報を送信し終わった後に、送信完了を洗濯制御装置１０３へ通知する（ステップＳ４１４）。
【００４７】
洗濯制御装置１０３はこれを受けて応答を返す（ステップＳ４１５）。被洗濯物情報タグＡは自己の被洗濯物情報が全て洗濯制御装置１０３により受信されたことを確認できたので、再度送信開始を送ることはしない。
【００４８】
一方、被洗濯物情報タグＢは送信した送信開始の通知に対して受信したＩＤが自己のＩＤと異なるため、洗濯制御装置１０３が送信開始を正常に受信しなかったと判断し、再送開始時間Ｔ２の経過後再度自己のＩＤと共に送信開始を通知するデータを洗濯制御装置１０３へ送信する（ステップＳ４０８）。
【００４９】
洗濯制御装置１０３は今度は正常に受信できたので、被洗濯物情報タグＢへそのタグのＩＤと送信周期Ｔ４を設定した応答を送信する（ステップＳ４０９）。
【００５０】
以降の動作は被洗濯物情報タグＡと同一である（ステップＳ４１２乃至Ｓ４１７）。
【００５１】
以上のように、洗濯制御装置１０３は被洗濯物情報タグ１０１とハンドシェーク方式で時分割通信することにより、複数の被洗濯物から同時に被洗濯物情報を取得することが可能になる。
【００５２】
次に、洗濯制御装置１０３は送信完了に対する応答を出力し、その他の被洗濯物情報タグ１０１からの受信があるか否かを判定するため所定時間待ったのち、電力伝送部１１１からの電力の供給を停止する（ステップＳ３０５）。
【００５３】
次に、算出部１１４は情報受信部１１３が取得した各被洗濯物の被洗濯物情報から洗濯の運転内容を算出する（ステップＳ３０６）。
【００５４】
ここでその算出方法について以下に説明する。
【００５５】
本実施の形態においては、図２を用いて説明したように検出された複数の被洗濯物情報に、洗浄力と水温の関係が含まれている。すなわち、被洗濯物Ａと被洗濯物Ｂについて、図８（Ａ）に示されるような洗浄力と水温の関係８０１、８０２が各々の被洗濯物情報として検出された場合について説明する。
【００５６】
この場合、被洗濯物Ａの洗浄力ＲＡと被洗濯物Ｂの洗浄力ＲＢの和Ｒが最大になる温度を最適温度とみなし、洗濯の際の水温とすることに決定する。温度Ｐ８０３が、この場合の最適温度となる。この洗浄力ＲＡと洗浄力ＲＢはユーザの要求する洗浄結果の優先度が異なる場合があるのため、（式１）に示すように被洗濯物毎に重み付けを加えることもできる。これにより、例えば、被洗濯物Ａよりも被洗濯物Ｂの洗浄結果を優先したい場合（より洗浄をきちんとして欲しい場合）に、単純に洗浄力の和で決定するのではなく、個々の優先度を考慮した洗浄力で決定することが可能になる。
【００５７】
【数１】
2004174043.tif 000003
【００５８】
また同様に、運転内容の種類（水流速度、水流の種類、時間、洗剤種類、洗剤濃度、すすぎ回数、時間、乾燥時間、乾燥温度）等によって、その洗浄力が異なる。これらの中から被洗濯物を最もよく洗浄できる方法を選択する。この選択の指標としては、被洗濯物の洗濯による傷み度を考慮し、全体の傷み度の和が最も少なくなる洗濯方法を求めることもできる。また、別の指標としては洗濯に要する時間、消費エネルギー、洗濯に伴う騒音、洗濯機への負荷等がある。これらの指標を単独、あるいは組み合わせた上で、最も指標が満たされる方法を決定する。これらの指標は、ユーザの好みによって設定してもよく、また被洗濯物毎に設定してもよい。
【００５９】
また、本実施の形態では、洗濯方法を通常のパルセータの回転によるものとして説明したが、洗濯機毎に固有の洗濯方法、たとえば滝洗い方法や遠心力方法などを保有する場合は、被洗濯物情報に基づいて適する洗濯方法を選択することができる。そして、この選択にはユーザの好きなメーカー２０３や素材２０５の情報を用いることもできる。例えば、特定のメーカーや素材については大切に洗うことを優先した洗濯方法を選択することなどが可能である。
【００６０】
次に、上記算出結果から洗濯が適する条件で可能か否かを判定する（ステップＳ３０７）。
【００６１】
以下に、この判定方法について説明する。
【００６２】
複数の被洗濯物が同時に洗濯槽に投入された場合、被洗濯物によっては色落ちするため他の物と一緒に洗濯すると好ましくない物や、一緒に洗濯するのが好ましくない組み合わせが存在する。例えば、図８（Ｂ）に示すように、被洗濯物Ａと被洗濯物Ｂと被洗濯物Ｃのそれぞれの推奨水温８０１、８０２、８０４が一致する温度が無いような場合や、水流や洗剤種類等の推奨値が複数の被洗濯物との間で重複することが全く無いような場合である。このように、取得された全被洗濯物の被洗濯物情報において、推奨値が全く重複しない被洗濯物がある場合、洗濯不適と判断する。
【００６３】
算出部１１４が洗濯に適すると判断した場合は、推奨の洗剤の種類とその分量を表示パネル部１１６へ表示する（ステップＳ３１０）。
【００６４】
次に、制御部１１５は洗濯の継続指示を待ち、指示を受けた場合、それを制御部１１５へ通知する（ステップＳ３１１）。
【００６５】
制御部１１５はこれを受けて、モーター１０５、給水弁１０６、排水弁１０７、水位センサ１０８、及びヒーター１０９を制御して算出部１１４の決定した運転を行う（ステップＳ３１２）。
【００６６】
以下に、この運転について説明する。
【００６７】
制御部１１５は算出部１１４が算出した全被洗濯物の重量から適する水量を決定し、水位センサ１０８からの出力を監視して給水弁１０６を制御する。また、それと同時に、全被洗濯物が推奨する水温になるようにヒーター１０９を加熱し、給水弁１０６からの水温を調節する。
【００６８】
次に、制御部１１５は算出部１１４が算出した全被洗濯物の推奨する洗濯回転速度と洗濯時間とでモーター１０５を制御する。
【００６９】
次に、制御部１１５は排水弁１０７を制御し洗濯槽の排水をした後、上記全洗濯物重量に応じた時間のみ脱水を行う。
【００７０】
次に、制御部１１５はモーター１０５と給水弁１０６と排水弁１０７と水位センサ１０８とヒーター１０９とを制御してすすぎを行う。このすすぎは重量に従った所定の回数繰り返すことも出来る。また、本実施の形態には備えていないフォトセンサによりすすぎの水の透過度を監視し、所定の透過度以下になるまですすぎを繰り返す制御を行うことも可能である。
【００７１】
次に、制御部１１５はすすぎが完了すると洗濯槽の排水をした後、算出部１１４が算出した推奨の脱水速度で、上記被洗濯物の重量に応じた時間だけ脱水を行うために、排水弁１０７とモーター１０５とを制御する。
【００７２】
次に、制御部１１５は洗濯の終了を操作部１０４に備えてあるブザーで通知すると共に、表示パネル部１１６に算出部１１４で算出した推奨する乾燥温度を表示する。
【００７３】
以上により、算出部１１４の算出結果に基づく制御部１１５の運転制御が終了し、ステップＳ３０１へ戻る。
【００７４】
一方、ステップＳ３０７で算出部１１４が洗濯不適と判断した場合には、操作部１０４に備えられたブザーで警告音を出力すると共に、表示パネル部１１６へ表示しその旨をユーザに通知する（ステップＳ３０８）。本実施の形態では、表示パネル部としたがこれに限らず警告ランプや、音声またはこれらの組合せなどにより通知することが可能である。
【００７５】
次に、制御部１１５は操作部１０４から洗濯を継続するか否かの指示を待ち（ステップＳ３０９）、中止する指示を受けた場合はステップＳ３０１へ戻る。また、洗濯継続の指示を受けた場合はステップＳ３１０へ進む。
【００７６】
なお、上記の例では洗濯適・不適の判断は、全被洗濯物が全ての被洗濯物情報の推奨値が共通に存在するか否かとしたが、所定の許容範囲を設け、その中で最適な運転方法を決定することも可能である。
【００７７】
また、被洗濯物情報の取得とその結果の通知を、本実施の形態では全ての被洗濯物が洗濯槽に投入された後に行っていたが、これに限らず被洗濯物が投入開始時点から被洗濯物情報の取得を行い、好ましくない組み合わせの被洗濯物が投入される都度に警告の通知することもできる。
【００７８】
また更に、全被洗濯物の被洗濯物情報を取得した時点で、全被洗濯物の組み合わせから、最適洗濯方法の選出を妨げる被洗濯物を表示パネル部１１６に表示することも可能である。
【００７９】
更にまた、ステップＳ３０６において算出部１１４が最適な運転内容を決定する際に、利用者が洗濯適・不適の判断条件を設定可能にし、その条件を最大限満足する運転内容を決定することも可能である。例えば、被洗濯物情報に値段が含まれている場合、値段が利用者の定める閾値以上の被洗濯物の推奨運転内容を優先したり、あるいは、最短の洗濯時間になるようにしたり、洗濯水の温度に適合する被洗濯物を選択したり、あるいはこれらの組み合わせにすることができる。
【００８０】
なお、本実施の形態では電力伝送部１１１が被洗濯物情報タグ１０１に電力の伝送を行っていたが、これは必須の構成要件ではなく、被洗濯物情報タグ１０１が電池等の電力源を自ら所有する場合には不要となる。
【００８１】
また、本実施の形態では要求送信部１１２が被洗濯物情報タグ１０１に送信の開始を要求する構成としたが、要求送信部１１２は必須の構成要件ではなく、被洗濯物情報タグ１０１が電力伝送部１１１からの電力の供給を受けて起動した時点から、送信を開始する場合には不要となる。
【００８２】
以上のように、本実施の形態においては被洗濯物に添付された被洗濯物情報タグから被洗濯物情報を受信する情報受信部と、この被洗濯物情報に基づいて運転内容を求める算出部１１４と、運転内容を実行する制御部１１５とを備えていることにより、被洗濯物個々の被洗濯情報を自動的に、かつ同時に読み込むことができるので、利用者が洗濯槽に被洗濯物をまとめて入れるだけで布質等に適した洗濯方法で洗濯することが可能になる。
【００８３】
（実施の形態２）
図５は、本発明の第２の実施の形態における洗濯機と被洗濯物に附属の無線情報タグとからなるブロック構成図を示している。実施の形態１とは情報送信部５０１が追加されている点が異なる。また、被洗濯物情報タグ１０１が記録している被洗濯物情報に洗濯累積回数や洗濯累積時間が追加される。そして、この情報送信部５０１は、被洗濯物情報タグ１０１が保持している、その被洗濯物の洗濯累積回数や洗濯累積時間などの情報を、新たに洗濯した回数と時間とに更新するためにそれらの情報を送信する。被洗濯物情報タグ１０１はそれを受けて記録を更新することができる。
【００８４】
図６は本実施の形態の動作を説明するためのフローチャートである。実施の形態１と異なる点は、運転制御を行った（ステップＳ３１２）後に、制御部１１５が被洗濯物情報タグ１０１から取得した洗濯累積回数に１を加算すると共に、洗濯累積時間に今回の洗濯時間を加算して、これらの情報を情報送信部５０１を介して被洗濯物情報タグ１０１へ通知する（ステップＳ６０１）ことである。
【００８５】
これによりステップＳ３０７において、被洗濯物情報の洗濯累積回数が所定の回数を越えていたり、洗濯累積時間が所定の時間を越えていた場合、ステップＳ３０８で利用者にその旨の警告を表示することが可能になる。
【００８６】
以上のように、本実施の形態においては被洗濯物情報タグ１０１から洗濯累積回数と洗濯累積時間の最新情報が取得できるので、生地の保護を優先した洗濯方法を利用者が指定することが可能になり、被洗濯物を長持ちさせることになる。
【００８７】
（実施の形態３）
図７は、本発明の第３の実施の形態における洗濯機１０２と被洗濯物に附属の被洗濯物情報タグ１０１と電気通信回線７０１とからなるブロック構成図を示している。実施の形態２とは電気通信回線７０１と通信部７０２と記憶部７０３とが追加されている点が異なる。また、被洗濯物情報タグ１０１が記録している被洗濯物情報に登録日が追加される。
【００８８】
そして、この通信部７０２は電気通信回線７０１を介して、衣料品メーカー、洗剤メーカーあるいは洗濯機メーカーから最新の被洗濯物情報を取得し、記憶部７０３へ蓄積する。
【００８９】
算出部１１４はステップＳ３０６において、取得した被洗濯物情報の一部である登録日をチェックし、被洗濯物情報タグ１０１から取得した被洗濯物情報が、記憶部７０３に蓄積された被洗濯物情報より古い場合は取得した情報を用いずに、この蓄積されている情報を使用する。
【００９０】
また、洗濯制御装置１０３は衣料品メーカー、洗剤メーカーあるいは洗濯機メーカーから新たな追加情報、たとえば新たな洗剤の種類とその分量などを取得できるので、常に最新の洗剤を使用した洗濯などが可能になる。
【００９１】
更にまた、被洗濯物情報タグ１０１に被洗濯物情報の全てが記録されていない場合、記録されている情報を基に衣料品メーカー、洗剤メーカーあるいは洗濯機メーカーからその他の情報を取得することが可能になる。例えば、図２に示した被洗濯物情報の内、重量２０６以下の情報が一部（あるいは全部）記録されていなかった場合に、品番２０４を基に衣料品メーカーからその他の情報を取得することができる。あるいは、素材２０５の情報を基に素材メーカーからその素材を洗濯するための標準データを取得して、洗濯方法を判断することも可能になる。
【００９２】
以上のように、本実施の形態においては電気通信回線から通信部７０２を介して最新の被洗濯物情報を取得し、記憶部７０３に蓄積できるので、被洗濯物が古くなっても最新の技術を用いた最適な洗濯を行うことが可能になる。
【００９３】
【発明の効果】
本発明により、洗濯制御装置が利用者の手を煩わせること無しに自動的に被洗濯物個々の情報を読み込み、その情報に基づいて被洗濯物に適する洗濯を行うことができる。
【図面の簡単な説明】
【図１】本発明の実施の形態１における洗濯機と無線情報タグとからなるブロック構成図
【図２】本発明の実施の形態１における被洗濯物情報を示す図
【図３】本発明の実施の形態１における洗濯制御方法を示すフローチャート
【図４】本発明の実施の形態１における被洗濯物情報タグと洗濯制御装置との通信シーケンス図
【図５】本発明の実施の形態２における洗濯機と無線情報タグとからなるブロック構成図
【図６】本発明の実施の形態２における洗濯制御方法を示すフローチャート
【図７】本発明の実施の形態３における洗濯機と被洗濯物情報タグと電気通信回線とからなるブロック構成図
【図８】本発明の実施の形態１における水温と洗浄力との関係を示す図
【図９】従来の洗濯制御装置のブロック構成図
【符号の説明】
１０１  被洗濯物情報タグ
１０２  洗濯機
１０３  洗濯制御装置
１０４  操作部
１０５  モーター
１０６  給水弁
１０７  排水弁
１０８  水位センサ
１０９  ヒーター
１１１  電力伝送部
１１２  要求送信部
１１３  情報受信部
１１４  算出部
１１５  制御部
１１６  表示パネル部
５０１  情報送信部
７０１  電気通信回線
７０２  通信部
７０３  記憶部
９０１  システム制御部
９０２  入力感知部
９０３  キーパッド
９０４  ディスプレイ部
９０５  負荷駆動部
９０６  水位感知部
【図１】
2004174043.tif 000004
【図２】
2004174043.tif 000005
【図３】
2004174043.tif 000006
【図４】
2004174043.tif 000007
【図５】
2004174043.tif 000008
【図６】
2004174043.tif 000009
【図７】
2004174043.tif 000010
【図８】
2004174043.tif 000011
【図９】
2004174043.tif 000012